(57)【要約】【課題】容器体の収納部内に例えば電動工具を収納し、小物収納部に付属品を収納することができ、電動工具と付属品とを分けて整然と収納することができ、電動工具及び付属品の取出収納を容易に行うことができ、使用の利便性を高めることができ、作業性を向上することができ、小物収納部を複数個形成しているから、付属品の種類や大小に合わせて分別して収納することができる。【解決手段】上側が開口して内部が収納部３に形成された容器体１及び該容器体の開口を開閉可能な蓋体２からなり、上記容器体内に容器体の内壁部に沿って仕切壁体７を形成して小物収納部６を設けてなる。【選択図】        図１
2004216474.tif 000002
【特許請求の範囲】
【請求項１】
上側が開口して内部が収納部に形成された容器体及び該容器体の開口を開閉可能な蓋体からなり、上記容器体内に容器体の内壁部に沿って仕切壁体を形成して小物収納部を設けてなることを特徴とする工具箱。
【請求項２】
上記小物収納部を複数個形成してなることを特徴とする特徴とする請求項１記載の工具箱。
【請求項３】
上記仕切壁体に上記収納部と小物収納部とを開通すると共に上側が開口する切欠溝部を形成してなることを特徴とする請求項１又は２記載の工具箱。
【請求項４】
上記仕切壁体の上縁部に上記容器体に内装される小物ケースを載置可能な載置部を形成してなることを特徴とする請求項１〜３のいずれか１項に記載の工具箱。
【発明の詳細な説明】
【０００１】
【発明の属する技術分野】
本発明は例えば電動グラインダ、電動ドリル、電動のこぎり等の各種の電動工具の収納に適して用いられる工具箱に関するものである。
【０００２】
【従来の技術】
【０００３】
特開平８−９０４５７号公報
【０００４】
従来この種の工具箱として、上方が開口して内部が収納部に形成された容器体及び該容器体の開口を開閉可能な蓋体からなる構造のものが知られている。
【０００５】
【発明が解決しようとする課題】
しかしながら上記従来構造の場合、電動工具と例えば円盤砥石、ドリル、メタルソー等の消耗品、交換品等の付属品とを一緒に収納部に収納する構造のため、電動工具と付属品とが雑に収納され易く、取出及び収納が厄介であり、使用の利便性を低下させ、それだけ作業性が低下することがあるという不都合を有している。
【０００６】
【課題を解決するための手段】
本発明はこのような不都合を解決することを目的とするもので、本発明のうちで、請求項１記載の発明は、上側が開口して内部が収納部に形成された容器体及び該容器体の開口を開閉可能な蓋体からなり、上記容器体内に容器体の内壁部に沿って仕切壁体を形成して小物収納部を設けてなることを特徴とする工具箱にある。
【０００７】
又、請求項２記載の発明は、上記小物収納部を複数個形成してなることを特徴とする特徴とするものであり、又、請求項３記載の発明は、上記仕切壁体に上記収納部と小物収納部とを開通すると共に上側が開口する切欠溝部を形成してなることを特徴とするものであり、又、請求項４記載の発明は、上記仕切壁体の上縁部に上記容器体に内装される小物ケースを載置可能な載置部を形成してなることを特徴とするものである。
【０００８】
【発明の実施の形態】
図１乃至図５は本発明の実施の形態例を示し、１は容器体、２は蓋体であって、いずれもプラスチックにより製作され、容器体１は上側が開口して内部が収納部３に形成され、蓋体２は容器体１の開口を開閉可能に形成され、蓋体２の上面に取手２ａを起立自在に設けると共に取手２ａの収納凹部２ｂを形成し、容器体１と蓋体２とはヒンジ部４により開閉自在に枢着されると共にバックル５により閉止可能に設けられている。
【０００９】
６は小物収納部であって、この場合、上記容器体１の内壁部１ａに沿う仕切壁体７及び中仕切壁体８により大小六個の小物収納部６が形成されている。
【００１０】
この場合、上記仕切壁体７には上記収納部３と各小物収納部６とを開通すると共に上側が開口する略Ｕ形状の切欠溝部９が形成されている。
【００１１】
１０は小物ケースであって、プラスチック製にして、上側が開口した容器１０ａ及び開口を閉塞可能な蓋体１０ｂからなり、例えば、ねじ類、ナット類、パーツ類などの部品が収納され、容器体１内に内装可能に形成され、この場合、上記仕切壁体７及び中仕切壁体８の上縁部に小物ケース１０の底面を位置決め状態で載置可能な載置部１１を形成している。尚、小物ケース１０を用いない構造としたり、蓋体１０ｂを有しないトレー状の小物ケースを用いる構造とすることもある。
【００１２】
この実施の形態例は上記構成であるから、容器体１の収納部３内に電動工具Ｗを収納し、小物収納部６に付属品Ｆを収納することができ、例えば、収納部３に電動グラインダを収納する場合には、小物収納部６に円盤砥石を収納し、収納部３に電動ドリルを収納する場合には、小物収納部６に各種ドリルセットを収納することができ、電動工具Ｗと付属品Ｆとを分けて整然と収納することができ、電動工具Ｗ及び付属品Ｆの取出収納を容易に行うことができ、使用の利便性を高めることができ、作業性を向上することができる。
【００１３】
この場合、上記小物収納部６を複数個形成しているから、付属品Ｆの種類や大小に合わせて分別して収納することができ、一層使用の利便性を高めることができ、又、この場合、上記仕切壁体７に上記収納部３と小物収納部６とを開通すると共に上側が開口する切欠溝部９を形成しているから、小物収納部６の深さが深くなったとしても小物収納部６内の付属品Ｆを容易に取り出すことができる。
【００１４】
又、この場合、上記仕切壁体７の上縁部に上記容器体１に内装される小物ケース１０を載置可能な載置部１１を形成しているから、小物ケース１０を収納部３の上方に配置することができ、容器体１内の収納スペースを有効に利用することができる。
【００１５】
尚、本発明は上記実施の形態例に限られるものではなく、容器体１、蓋体２、収納部３の構造や形態、小物収納部６、仕切壁体７の大きさや形態等は付属品に応じて適宜変更して設計される。
【００１６】
【発明の効果】
本発明は上述の如く、請求項１記載の発明にあっては、容器体の収納部内に例えば電動工具を収納し、小物収納部に付属品を収納することができ、電動工具と付属品とを分けて整然と収納することができ、電動工具及び付属品の取出収納を容易に行うことができ、使用の利便性を高めることができ、作業性を向上することができる。
【００１７】
又、請求項２記載の発明にあっては、上記小物収納部を複数個形成しているから、付属品の種類や大小に合わせて分別して収納することができ、一層使用の利便性を高めることができ、又、請求項３記載の発明にあっては、上記仕切壁体に上記収納部と小物収納部とを開通すると共に上側が開口する切欠溝部を形成しているから、小物収納部の深さが深くなったとしても小物収納部内の付属品を容易に取り出すことができ、又、請求項４記載の発明にあっては、上記仕切壁体の上縁部に上記容器体に内装される小物ケースを載置可能な載置部を形成しているから、小物ケースを収納部の上方に配置することができ、容器体内の収納スペースを有効に利用することができる。
【００１８】
以上の如く、所期の目的を充分達成することができる。
【図面の簡単な説明】
【図１】本発明の実施の形態例の全体斜視図である。
【図２】本発明の実施の形態例の全体斜視図である。
【図３】本発明の実施の形態例の容器体の平面図である。
【図４】本発明の実施の形態例の横断面図である。
【図５】本発明の実施の形態例の側断面図である。
【符号の説明】
Ｗ  電動工具
Ｆ  付属品
１  容器体
２  蓋体
３  収納部
６  小物収納部
７  仕切壁体
９  切欠溝部
７  係止部
１０  小物ケース
１１  載置部
【図１】
2004216474.tif 000003
【図２】
2004216474.tif 000004
【図３】
2004216474.tif 000005
【図４】
2004216474.tif 000006
【図５】
2004216474.tif 000007